(57)【特許請求の範囲】
【請求項１】
楽器本体の長手方向に沿って延び、前記長手方向に直交する方向に移動自在に前記楽器本体に取り付けられた弦部材（５１）と、
一部が前記弦部材にリンクされると共に他の一部が前記楽器本体に対して固定関係にあって、前記弦部材の移動に伴い撓むように構成された弾性体（１４）と、
前記弾性体に取り付けられ、少なくとも前記弦部材を撥弦する強さに応じた信号を出力するセンサ部（１５）と、
前記センサ部の出力信号をトリガとして楽音を発生する楽音発生手段（８）と、
前記センサ部の出力信号に応じて前記楽音発生手段により発生される楽音の楽音レベルを制御する楽音制御手段（６０）とを備えたことを特徴とする電子弦楽器。
【請求項２】
前記センサ部は、前記弦部材の移動加速度または前記弦部材に対する力の変化のいずれかに応じた信号を出力することを特徴とする請求項１記載の電子弦楽器。
【請求項３】
楽器本体の長手方向に沿って延び、前記長手方向に直交する方向に移動自在に前記楽器本体に取り付けられた弦部材と、
一部が前記弦部材にリンクされ、他の一部が前記楽器本体に固着されて、前記弦部材の移動に伴い撓むように構成された弾性体と、
前記弾性体に取り付けられ、前記弦部材の撥弦動作を検出するセンサ部と、
前記センサ部の検出信号に基づいて楽音を発生する楽音発生手段とを備え、
前記弦部材が、撥弦後に前記弾性体の弾性によって非撥弦時初期位置に復帰するように構成されたことを特徴とする電子弦楽器。
【請求項４】
前記弦部材、前記弾性体及び前記センサ部は複数組設けられ、各弦部材は、その一端部（５１Ｙ）が前記弾性体とリンクされるリンク部とされる一方、他端部（５１Ｚ）が前記楽器本体に対して略固定され、前記リンク部の前記長手方向における位置が互いに隣接する弦部材間で異なって千鳥状となるように配設されたことを特徴とする請求項１〜３のいずれか１項に記載の電子弦楽器。
【請求項５】
楽器本体の操作面側に配設され、回動軸を有し、該回動軸を中心に回動することで長手方向に直交する方向に各々移動自在にされた複数の弦部材と、
一体に形成されて前記楽器本体に取り付けられ、前記弦部材の回動軸を回動自在に支持する回動支持部を前記複数の各弦部材に対応して複数有して成る軸受け部材と、
対応する弦部材に一部がリンクされると共に他の一部が前記楽器本体に対して固定関係にあって、前記対応する弦部材の移動に伴い撓むように構成された複数の弾性体と、
前記複数の弾性体の各々に取り付けられ、対応する弦部材の撓みを検出する複数のセンサ部と、
前記複数のセンサ部の検出信号に基づいて楽音を発生する楽音発生手段とを備えたことを特徴とする電子弦楽器。
【請求項６】
楽器本体の操作面側に配設され、回動軸を有し、該回動軸を中心に回動することで長手方向に直交する方向に各々移動自在にされた複数の弦部材と、
前記複数の弦部材を保持する保持機構部と、
対応する弦部材に一部がリンクされると共に他の一部が前記楽器本体に対して固定関係にあって、前記対応する弦部材の移動に伴い撓むように構成された複数の弾性体と、
前記複数の弾性体の各々に取り付けられ、対応する弦部材の撓みを検出する複数のセンサ部と、
前記複数のセンサ部の検出信号に基づいて楽音を発生する楽音発生手段とを備え、
前記保持機構部は、前記楽器本体に取り付けられ且つ前記複数の弦部材の回動軸を回動自在に支持する複数の軸受け部材と、前記複数の軸受け部材に共通に設けられ且つ該複数の軸受け部材を一緒に押さえて前記楽器本体に対して固定する押さえ部材とから構成されたことを特徴とする電子弦楽器。
【請求項７】
楽器本体の操作面側に配設され、回動軸を有し、該回動軸を中心に回動することで長手方向に直交する方向に各々移動自在にされた複数の弦部材と、
前記複数の弦部材の撥弦動作を検出する検出機構部と、
前記検出機構部の検出信号に基づいて楽音を発生する楽音発生手段とを備え、
前記検出機構部は、対応する弦部材に一部がリンクされると共に他の一部が前記楽器本体に対して固定関係にあって且つ前記対応する弦部材の移動に伴い撓むように構成された複数の弾性体と、前記複数の弾性体の前記他の一部を保持する共通基端部と、前記複数の弾性体の各々に取り付けられ対応する弦部材の撓みを検出する複数のセンサ部とから構成され、前記複数の弾性体と前記共通基端部とはエラストマで一体に形成されたことを特徴とする電子弦楽器。
【請求項８】
前記センサ部はピエゾ素子で構成されたことを特徴とする請求項１〜７のいずれか１項に記載の電子弦楽器。
【発明の詳細な説明】
【０００１】
【発明の属する技術の分野】
本発明は、弦部材の操作を検出して楽音を電気的に発生するようにした電子弦楽器に関する。
【０００２】
【従来の技術】
従来、弦部材を備え、この弦部材の操作を検出して楽音を電気的に発生するようにした電子弦楽器が知られている。この電子弦楽器では、例えば、楽器全体をギター型に構成し、楽器本体部（胴体部）に設けた線条（弦部材）の撥弦動作を、振動等を介して検出し、その検出信号をトリガとして楽音を発生するようにしている。この楽器では例えば、棹部に設けた操作子で音高を決定すると共に、胴体部の弦部材を撥いて楽音発生のタイミングの決定や自動演奏の歩進の制御等を行うようにしている。
【０００３】
【発明が解決しようとする課題】
しかしながら、従来のピエゾ素子を用いた一般的な撥弦動作検出機構では、弦と振動板が一体構造であるため、構造的には、ピエゾ素子は振動及び変位の両方をひろって出力するようになっていた。そのため弦の移動がなくても振動が伝わるだけで出力が発生するので、出力が不安定となり、奏者の意思に応じた出力が得られない場合があった。また、撥弦の位置によって弦の変位の仕方や振動のピエゾ素子への伝わり方が異なり、すなわち可動ポイント、可動基準位置が定まらないため、正確な出力が得られない場合があった。
【０００４】
さらに、弦の可動量が少ないため、快適な撥弦による入力が困難で、撥弦感触を向上して人の感性に合わせる構造上の自由度が小さかった。特に、弦部材は撥弦動作に適することを主に考慮して構成されるため、撥弦動作をある程度正確に検出しつつ、ギターの弦のような撥弦感触をも得られるようにする場合は、構成が複雑化するという問題があった。
【０００５】
しかも、通常、弦部材は複数設けられるが、弦部材の撥弦から撥弦動作の検出に至る機構において、各構成要素の寸法や組み付け時のばらつき等があると、それらに起因して弦部材間の動作が均一にならず、検出精度に影響する。しかし、構成の複雑化を招くことなくこれを回避することは容易でない。
【０００６】
本発明は上記従来技術の問題を解決するためになされたものであり、その第１の目的は、簡単な構成で、奏者の意図に沿った最適レベルの楽音を発生させることができる電子弦楽器を提供することにある。また、本発明の第２の目的は、撥弦動作の検出精度を確保しつつ、簡単な構成で良好な撥弦感触を確保することができる電子弦楽器を提供することにある。また、本発明の第３の目的は、簡単な構成で、各弦間の均一な動作を確保して撥弦動作の検出精度を維持することができる電子弦楽器を提供することにある。
【０００７】
【課題を解決するための手段】
上記第１の目的を達成するために本発明の請求項１の電子弦楽器は、楽器本体の長手方向に沿って延び、前記長手方向に直交する方向に移動自在に前記楽器本体に取り付けられた弦部材（５１）と、一部が前記弦部材にリンクされると共に他の一部が前記楽器本体に対して固定関係にあって、前記弦部材の移動に伴い撓むように構成された弾性体（１４）と、前記弾性体に取り付けられ、少なくとも前記弦部材を撥弦する強さに応じた信号を出力するセンサ部（１５）と、前記センサ部の出力信号をトリガとして楽音を発生する楽音発生手段（８）と、前記センサ部の出力信号に応じて前記楽音発生手段により発生される楽音の楽音レベルを制御する楽音制御手段（６０）とを備えたことを特徴とする。
【０００８】
この構成により、弦部材を撥弦すると、弦部材は楽器本体の長手方向に直交する方向に移動する。弦部材と弾性体の一部とがリンクしていることで、弦部材の移動に伴い弾性体が撓む。すると、弾性体に取り付けられたセンサ部により、弾性体が撓むことを介して、少なくとも前記弦部材を撥弦する強さに応じた信号が出力され、センサ部の出力信号をトリガとして楽音が発生し、その際、発生される楽音の楽音レベルが出力信号に応じて制御される。よって、簡単な構成で、奏者の意図に沿った最適レベルの楽音を発生させることができる。
【０００９】
また、請求項１記載の電子弦楽器において、前記センサ部は、前記弦部材の移動加速度または前記弦部材に対する力の変化のいずれかに応じた信号を出力するのが好ましい。
【００１０】
この構成により、センサ部により、弦部材の移動加速度または弦部材に対する力の変化のいずれかに応じた信号が出力されるので、その出力信号は、弦部材を撥弦する強さに応じた信号となる。よって、ギター弦の撥弦に近い奏法にて意図したレベルの楽音を発生させることができる。
【００１１】
上記第２の目的を達成するために本発明の請求項３の電子弦楽器は、楽器本体の長手方向に沿って延び、前記長手方向に直交する方向に移動自在に前記楽器本体に取り付けられた弦部材と、一部が前記弦部材にリンクされ、他の一部が前記楽器本体に固着されて、前記弦部材の移動に伴い撓むように構成された弾性体と、前記弾性体に取り付けられ、前記弦部材の撥弦動作を検出するセンサ部と、前記センサ部の検出信号に基づいて楽音を発生する楽音発生手段とを備え、前記弦部材が、撥弦後に前記弾性体の弾性によって非撥弦時初期位置に復帰するように構成されたことを特徴とする。
【００１２】
この構成により、弦部材を撥弦すると、弦部材は楽器本体の長手方向に直交する方向に移動し、その移動に伴い弾性体が撓む。すると、弾性体に取り付けられたセンサ部により、弾性体が撓むことを介して、前記弦部材の撥弦動作が検出され、検出信号に基づいて楽音が発生する。さらに、弦部材が、撥弦後に前記弾性体の弾性によって非撥弦時初期位置に復帰する。よって、撥弦動作の検出精度を確保しつつ、簡単な構成で良好な撥弦感触を確保することができる。
【００１３】
また、上記請求項１〜３のいずれか１項に記載の電子弦楽器において、前記弦部材、前記弾性体及び前記センサ部は複数組設けられ、各弦部材は、その一端部（５１Ｙ）が前記弾性体とリンクされるリンク部とされる一方、他端部（５１Ｚ）が前記楽器本体に対して略固定され、前記リンク部の前記長手方向における位置が互いに隣接する弦部材間で異なって千鳥状となるように配設されることが好ましい（請求項４）。
【００１４】
この構成により、各弦部材の、弾性体とリンクされるリンク部の前記長手方向における位置が互いに隣接する弦部材間で異なって千鳥状となるように配設されるので、隣接するリンク部の間隔を大きく確保することができる。その結果、リンク部の移動距離を大きくすることができ、設計の自由度が増し、検出精度も向上する。よって、撥弦部の設計の自由度を確保すると共に、撥弦動作の検出精度の向上を図ることができる。
【００１５】
上記第３の目的を達成するために本発明の請求項５の電子弦楽器は、楽器本体の操作面側に配設され、回動軸を有し、該回動軸を中心に回動することで長手方向に直交する方向に各々移動自在にされた複数の弦部材と、一体に形成されて前記楽器本体に取り付けられ、前記弦部材の回動軸を回動自在に支持する回動支持部を前記複数の各弦部材に対応して複数有して成る軸受け部材と、対応する弦部材に一部がリンクされると共に他の一部が前記楽器本体に対して固定関係にあって、前記対応する弦部材の移動に伴い撓むように構成された複数の弾性体と、前記複数の弾性体の各々に取り付けられ、対応する弦部材の撓みを検出する複数のセンサ部と、前記複数のセンサ部の検出信号に基づいて楽音を発生する楽音発生手段とを備えたことを特徴とする。
【００１６】
この構成によれば、弦部材を撥弦すると、弦部材は、軸受け部材が有する回動支持部により支持される回動軸を中心に回動することで、長手方向に直交する方向に移動し、その移動に伴い対応する弾性体が撓み、それが弾性体に取り付けられたセンサ部により検出され、検出信号に基づいて楽音が発生する。ここで、軸受け部材は、一体に形成されて前記楽器本体に取り付けられ、回動支持部を前記複数の各弦部材に対応して複数有して成るので、各回動支持部間の相対的な位置精度は、軸受け部材の組み付け誤差の影響を受けない。そのため、各弦部材毎に回動支持部を別体として設ける場合に比し、回動支持部の位置精度が高く、弦部材の回動軸を正確な位置で支持するのが容易となるから、複数の弦部材間で均一で、且つ円滑、正確な回動動作を確保することができる。よって、簡単な構成で、各弦間の均一な動作を確保して撥弦動作の検出精度を維持することができる。
【００１７】
上記第３の目的を達成するために本発明の請求項６の電子弦楽器は、楽器本体の操作面側に配設され、回動軸を有し、該回動軸を中心に回動することで長手方向に直交する方向に各々移動自在にされた複数の弦部材と、前記複数の弦部材を保持する保持機構部と、対応する弦部材に一部がリンクされると共に他の一部が前記楽器本体に対して固定関係にあって、前記対応する弦部材の移動に伴い撓むように構成された複数の弾性体と、前記複数の弾性体の各々に取り付けられ、対応する弦部材の撓みを検出する複数のセンサ部と、前記複数のセンサ部の検出信号に基づいて楽音を発生する楽音発生手段とを備え、前記保持機構部は、前記楽器本体に取り付けられ且つ前記複数の弦部材の回動軸を回動自在に支持する複数の軸受け部材と、前記複数の軸受け部材に共通に設けられ且つ該複数の軸受け部材を一緒に押さえて前記楽器本体に対して固定する押さえ部材とから構成されたことを特徴とする。
【００１８】
この構成によれば、弦部材を撥弦すると、弦部材は長手方向に直交する方向に移動し、その移動に伴い対応する弾性体が撓み、それが弾性体に取り付けられたセンサ部により検出され、検出信号に基づいて楽音が発生する。ここで、複数の弦部材を保持する保持機構部は、複数の弦部材の回動軸を回動自在に支持する複数の軸受け部材と、複数の軸受け部材に共通に設けられ且つ該複数の軸受け部材を一緒に押さえて楽器本体に対して固定する押さえ部材とから構成されるので、複数の軸受け部材を個々に楽器本体に対して固定する場合に比し、各軸受け部材間の相対的な位置精度が高く、その結果、各弦部材の回動軸を正確な位置で支持するのが容易となるから、複数の弦部材間で均一で、且つ円滑、正確な回動動作を確保することができる。よって、簡単な構成で、各弦間の均一な動作を確保して撥弦動作の検出精度を維持することができる。
【００１９】
なお、請求項６において、前記軸受け部材に髭状延設片を設け、前記押さえ部材は、前記髭状延設片を介して前記軸受け部材を押さえるように構成するのが望ましい。これにより、髭状延設片の反力を利用して、適当に設定した所定の大きさの押圧力で軸受け部材を押さえることができ、例えば、弦部材の回動軸を過剰に締め付けるようなことがなく、円滑な回動を確保することが容易となる。しかも、軸受け部材自体のがたつきは防止される。
【００２０】
上記第３の目的を達成するために本発明の請求項７の電子弦楽器は、楽器本体の操作面側に配設され、回動軸を有し、該回動軸を中心に回動することで長手方向に直交する方向に各々移動自在にされた複数の弦部材と、前記複数の弦部材の撥弦動作を検出する検出機構部と、前記検出機構部の検出信号に基づいて楽音を発生する楽音発生手段とを備え、前記検出機構部は、対応する弦部材に一部がリンクされると共に他の一部が前記楽器本体に対して固定関係にあって且つ前記対応する弦部材の移動に伴い撓むように構成された複数の弾性体と、前記複数の弾性体の前記他の一部を保持する共通基端部と、前記複数の弾性体の各々に取り付けられ対応する弦部材の撓みを検出する複数のセンサ部とから構成され、前記複数の弾性体と前記共通基端部とはエラストマで一体に形成されたことを特徴とする。
【００２１】
この構成によれば、弦部材を撥弦すると、その撥弦動作が検出機構部により検出され、検出信号に基づいて楽音が発生する。検出機構部は、複数の弾性体と複数のセンサ部とから構成され、複数の弾性体は、対応する弦部材に一部がリンクされると共に他の一部が共通基端部によって保持される。ここで、複数の弾性体と共通基端部とは一体に形成されるので、各弾性体間の相対的な位置精度が高く、その結果、各弦部材の回動軸を正確な位置で支持するのが容易となるから、複数の弦部材間で均一で、且つ円滑、正確な回動動作を確保することができる。構成及び取り付けも簡単である。しかも、複数の弾性体と共通基端部とはエラストマで形成されるので、撥弦により弾性体が撓んだ後、その弾性体の振動が速やかに減衰し、正確な撥弦動作の検出に適している。よって、簡単な構成で、各弦間の均一な動作を確保して撥弦動作の検出精度を維持することができる。
【００２２】
また、請求項１〜７のいずれか１項に記載の電子弦楽器において、前記センサ部はピエゾ素子で構成されることが好ましい（請求項８）。
【００２３】
この構成により、簡単な構成で良好なタッチレスポンスを得ることができる。
【００２４】
【発明の実施の形態】
以下、本発明の実施の形態を図面を参照して説明する。
【００２５】
（第１の実施の形態）
図１は、本発明の第１の実施の形態に係る電子弦楽器の平面図である。本電子弦楽器は、ギター型に形成され、胴体部１（楽器本体）及び棹部２から成る。棹部２には、音高スイッチ部３、パネル操作部４が設けられ、胴体部１の操作面１ａ側には、弦入力部５、メモリスロット６が設けられる。後述するように、本電子弦楽器は、左手でギターのフレット間を押さえるときのようにして音高スイッチ部３で音高を設定すると共に、右手でギターの弦を撥弦するようにして弦入力部５の弦部材５１（後述）を撥くことで、電気ギターの演奏操作や発音を擬似的に実現したものである。
【００２６】
パネル操作部４は楽器種類やモードの設定の入力等に用いられる。メモリスロット６には所定のメモリカードが挿入可能で、後述するように、メモリカードに格納された曲データを本装置で鳴らしたり、楽曲の進行に従って押弦操作を光でガイドしたりすることができる。
【００２７】
図２は、弦入力部５を胴体部１から取り外し、裏側からみた底面図である。同図上側が棹部２側である。図３は、図２のＡ−Ａ線に沿う部分断面図である。図４は、センサ体１０の分解斜視図である。なお、図２には、下ケース２５、基板２６は表されていない。基板２６の内側（図３でいう右側）には、音源回路及び／又はその制御回路の部品がはんだ付けされている（図示せず）。
【００２８】
図１に示すように、弦部材５１は、６本（５１ａ〜５１ｆ）設けられ、ギターの弦の太さに倣い、弦部材５１ａが最も太く、５１ｂ・・・５１ｆという順序で細くなっている。
【００２９】
図３に示すように、弦部材５１は、棹部２の長手方向に延びる撥弦部５１Ｗと、撥弦部５１Ｗの両端部において胴体部１側に屈曲した後再び棹部２の長手方向に延びる軸部５１Ｘを有し、さらに両軸部５１Ｘから胴体部１側に屈曲して一端部５１Ｙ（リンク部）、他端部５１Ｚ（図２参照）が形成されている。なお、弦部材５１ａ、５１ｃ、５１ｅでは、棹部２側が他端部５１Ｚ、反棹部２側（棹部２の反対側）が一端部５１Ｙとなり、弦部材５１ｂ、５１ｄ、５１ｆでは、棹部２側が一端部５１Ｙ、反棹部２側が他端部５１Ｚとなる。弦入力部５にはさらに軸支部１８が設けられ、弦部材５１は両軸部５１Ｘで軸支部１８に軸支されている。これにより、弦部材５１は、軸部５１Ｘを中心として弦部材５１の並び方向（図１の左右方向）に回動可能にされる。
【００３０】
弦入力部５には、各弦部材５１に対応してセンサ体１０が６個設けられている。センサ体１０は、図２に示すように、弦部材５１の一端部５１Ｙ側に配置される。すなわち、弦部材５１ａ、５１ｃ、５１ｅに対応するものが反棹部側（図２下側）に配設され、弦部材５１ｂ、５１ｄ、５１ｆに対応するものが棹部側（図２上側）に配設されている。
【００３１】
弦入力部５にはさらに、ストッパ用ゴム材１９が設けられている。ストッパ用ゴム材１９は、各弦部材５１に対応して設けられ、弦部材５１の他端部５１Ｚ側に配設される。１対のストッパ用ゴム材１９で形成される間隙に各弦部材５１の他端部５１Ｚが挿通される（図２）。弦部材５１が軸部５１Ｘを中心として回動するとき、ストッパ用ゴム材１９は弦部材５１の回動角度を規制する役割を果たす。棹部２側及び反棹部２側共に、弦部材５１の並び方向において、センサ体１０とストッパ用ゴム材１９とは交互に配置されており、いわゆる千鳥状の配置となっている。これにより、弦部材５１の並び方向において隣接するセンサ体１０間の間隔が大きくなっている。弦入力部５には、基板２６がネジ止め固定され、さらに弦入力部５は下ケース２５にネジ止め固定される（図３）。
【００３２】
図４に示すように、センサ体１０は、板バネ１４（弾性体）、ゴム体１６、保持部材１１、ピエゾセンサ１５（センサ部）及びブロック材１７等で構成される。板バネ１４は金属等で構成され弾性を有し、その基端部１４ａ（他の一部）が保持部材１１にネジ１２（図２）で取り付けられ、片持ち梁のようになっている。ブロック材１７は弦入力部５の台座２７に固着され（図２、図３）、ブロック材１７に保持部材１１がネジ１３（図２）で取り付けられる。板バネ１４の先端部（自由端部）１４ｂ（一部）には、ゴム体１６が取り付けられている。ゴム体１６には穴１６ａが形成されており、この穴１６ａを弦部材５１の一端部５１Ｙが貫通している（図３）。これにより、板バネ１４の先端部１４ｂが、ゴム体１６を介して弦部材５１の一端部５１Ｙとリンクする。
【００３３】
板バネ１４にはピエゾセンサ１５が設けられている。ピエゾセンサ１５は、ピエゾ素子でなり、板バネ１４の長手方向における略中央に取り付けられ、板バネ１４が撓む現象を介して弦部材５１の撥弦動作を検出する。すなわち、板バネ１４は、弦部材５１が軸部５１Ｘを中心として回動するとき、撓んでピエゾセンサ１５に出力信号を生じさせる。なお、板バネ１４の厚さに適当な変化をもたせることで、板バネ１４におけるピエゾセンサ１５の近傍が撓みやすくして、検出の感度を向上するようにしてもよい。
【００３４】
板バネ１４はまた、撥弦操作を解除した後、その弾性により、弦部材５１を非撥弦時初期位置（板バネ１４の撓みがない状態における弦部材５１の位置）に復帰させる役割をも果たす。弦部材５１の回動時における弦の並び方向への可動量は、快適な操作を保障するべく、４〜６ｍｍに設定される。
【００３５】
かかる構成において、奏者は、通常はピッキングと同じ要領で弦部材５１を指またはピックではじけばよい。例えば、撥弦のために弦部材５１に弦の並び方向への力を加えると、弦部材５１が軸部５１Ｘを中心に回動し、一端部５１Ｙ、他端部５１Ｚが撥弦部５１Ｗとは平面的にみて反対方向に移動する。一端部５１Ｙとゴム体１６がリンクされていることで、板バネ１４は撓む。また、強い力を加えた場合は、他端部５１Ｚがストッパ用ゴム材１９に当接して弦部材５１の回動が停止する。弦部材５１をはじく、すなわち弦部材５１を付勢した状態からその付勢力を解除すると、板バネ１４の弾性によって弦部材５１が初期位置に急激に戻ろうとする。そのとき弦部材５１に大きな加速度が与えられ、ピエゾセンサ１５が検出信号を出力する。なお、ピエゾセンサ１５は所定の閾値を超えた場合にのみ出力信号を発生するようになっている。
【００３６】
ピエゾセンサ１５は、移動加速度に応じた信号を出力するので、弦部材５１に弦の並び方向に向かって急激な力を作用させるような演奏時にも、出力を発生する。なお、ピエゾセンサ１５は、弦部材５１の移動ファクタとして、通常は、弦部材５１の移動加速度を検出し、それに応じた信号を出力すると捕らえることができるが、弦部材５１に対する力の変化（率）に応じた信号を出力すると捕らえることもできる。通常は、奏者からみれば、弦部材５１を撥弦する強さに応じた出力が得られることになる。
【００３７】
板バネ１４を片持ち構造にした等により、板バネ１４の変位量に応じた加速度が弦部材５１をはじくときに生じ、従って、撥弦の強さに応じた出力が得られる。特に、板バネ１４の変位量は奏者による入力（付勢力）に対応するため弱撥から強撥まで、奏者の感覚にあった出力が得られやすい。また、板バネ１４の寸法、形状、厚み等の設定で、片持ち梁としての力学的特性を自由に設定することが容易であるため、弦部材５１を回動（移動）させるのに必要な力を奏者の感覚に合わせて設定することができるという自由度がある。さらに、振動だけをひろって出力するということがないので、弦部材５１が実際に回動したときにのみ出力が生じ、都合がよい。
【００３８】
なお、上述したように、弦の太さは、アコースティックギターと同様に、弦部材５１ａが最も太く、５１ｂ・・・５１ｆという順序で細くなっているが、撥弦時においてアコースティックギターと同様の復帰力乃至撥弦力のキースケーリングを付加するようにしてもよい。そのためには、例えば、板バネ１４について、弦部材５１のうち太い弦に対応するものほど厚みを厚くする、幅を広くする、切れ込みを小さくする（またはなくす）、というように、板バネ１４の力学特性を弦毎６段階（または２〜３段階）で設定すればよい。これにより、本物のアコースティックギターの演奏感覚により近づけることができる。
【００３９】
一方、棹部２には、図１に示すように、フレット３４及びフレット部材３５がそれぞれ複数設けられている。フレット３４はギターにおけるフレットに対応する位置に設けられる。本実施の形態におけるフレット３４は、振動する弦の長さを規定するというギターのフレットとしての機能を果たすものではなく、押弦の際における位置のめやすとなるものである。各フレット３４の間隔は、ギターの場合に倣い高音域ほど狭くなっている。
【００４０】
フレット間領域は１２音階の設定を最低限可能とすべく１２個存在する。ここで、例えば、図１に示す「ＦＲ」が１つのフレット間領域である。なお、上記１２音階よりも高音域側のフレットは、通常のギターにおいても上級者以外はあまり用いないため、本電子弦楽器では、上記高音域にフレット間領域を設ける代わりに、パネル操作部４を配置する領域として利用することで、省スペース化及び操作性の向上が図られている。
【００４１】
フレット部材３５は、図１に示すように、各フレット３４間に設けられ、同一のフレット間領域に６個ずつ並列配置されている。各フレット部材３５の棹部２の長手方向における長さは、その両端のフレット３４の間隔と略同じ長さ、すなわち略フレット間長となっている。フレット部材３５は、全体が透光材で形成される。
【００４２】
フレット部材３５は、下方に押し込み可能になっており、さらに押弦解除後には、下方に設けた不図示の弾性体によって元の非押下位置に復帰するようになっている。
【００４３】
図示はしないが、フレット部材３５の下方には基板が設けられ、この基板上に固定接点とそれに対応する可動接点との組で構成される押弦スイッチがフレット部材３５毎に設けられる。この押弦スイッチでは、フレット部材３５の押下、及び押下解除の動作によって、固定接点と可動接点とが離接して、フレット部材３５の押下動作が検出される。また、上記基板上においてフレット部材３５の直下には、ＬＥＤが各フレット部材３５毎に設けられる。
【００４４】
図５は、本実施の形態の電子弦楽器における楽音発生及び発光の制御を実現するための機能構成の概略を示すブロック図である。音高スイッチ部３、弦入力部５及びメモリスロット６はＣＰＵ６０（楽音制御手段）に接続され、ＣＰＵ６０には発光部７及び楽音信号発生部８（楽音発生手段）が接続され、楽音信号発生部８にはさらにサウンドシステム（ＳＳ）９が接続されている。
【００４５】
音高スイッチ部３は音高検出部３ａを備える。この音高検出部３ａの機能は、上述した押弦スイッチ群によって実現される。すなわち、押下されたフレット部材３５に対応する押弦スイッチから検出信号が出力され、この出力が音高検出部３ａの出力として、各弦部材５１に対応する複数のフレット部材３５のうちのいずれが押下されたかを示す信号となる。この出力信号はＣＰＵ６０に供給される。なお、同じ弦部材５１に対応するフレット部材３５が２以上押下された場合は、より高音域側のフレット部材３５のみがオンされたとして処理される。何も出力されない場合は、その弦は開放弦であるとして処理される。
【００４６】
弦入力部５は、キーオン検出部５ａ及びタッチ検出部５ｂを備える。キーオン検出部５ａ及びタッチ検出部５ｂの各機能は、上述したセンサ体１０によって実現される。すなわち、上述したように、センサ体１０のピエゾセンサ１５により、弦部材５１を撥弦する強さに応じた出力が得られるので、この出力により弦部材５１の撥弦の有無及び撥弦強さが規定される。撥弦の有無を示す信号を出力するのがキーオン検出部５ａであり、撥弦強さを示す信号を出力するのがタッチ検出部５ｂである。これらの出力信号は各弦部材５１毎にＣＰＵ６０に供給される。
【００４７】
メモリスロット６は、装着されたメモリカードに格納された曲データとして例えばＭＩＤＩデータをＣＰＵ６０に供給する。
【００４８】
ＣＰＵ６０は、音高検出部３ａ、キーオン検出部５ａ、タッチ検出部５ｂ及びメモリスロット６からの信号に基づいて発光部７及び楽音信号発生部８を制御する。
【００４９】
発光部７の機能は、上記不図示のＬＥＤ及びフレット部材３５等で実現される。すなわち、ＣＰＵ６０の制御によりＬＥＤが発光すると、その光は透明材で成るフレット部材３５の下部から入射され、フレット部材３５内を透過して主に先端部から外部に放光される。これにより、外部からみると、フレット部材３５が光って見える。
【００５０】
楽音信号発生部８及びサウンドシステム９は本電子弦楽器に接続されているが、図１には図示されていない。楽音信号発生部８は音源を備え、サウンドシステム９はアンプ、スピーカを備える（いずれも図示せず）。楽音信号発生部８は、ＣＰＵ６０の制御に基づきサウンドシステム９で楽音を発生させる。例えば、次のようにして楽音が発生する。
【００５１】
通常の演奏では、奏者はまず、パネル操作部４において通常演奏モードに設定すると共に、楽器種類を例えばエレクトリックギターに設定する。そして、音高スイッチ部３において押弦操作のようにして左手でフレット部材３５を押し込む。フレット部材３５は同時に複数押下される場合もあれば、全く押下されない場合（全弦が開放弦）もある。押下されたフレット部材３５で各弦部材５１毎に音高が特定される。奏者はさらに、弦入力部５において、所望の弦部材５１を撥弦する。撥弦の態様は通常のギターと同様でよく、撥弦された弦部材５１についてキーオンイベントがあったことになる。また、上述したように、板バネ１４の特性によって撥弦強さに応じた出力が得られることから、撥弦強さに応じてベロシティ（タッチ）が特定される。
【００５２】
ＣＰＵ６０は、弦入力部５でキーオンイベントがあった場合は、音高スイッチ部３で特定された音高、弦入力部５で特定されたベロシティに基づき楽音信号発生部８に音源指示信号を出力する。それと同時に、ＣＰＵ６０は、音高スイッチ部３で押下されたフレット部材３５に対応するＬＥＤを発光させるための点灯指示信号を発光部７に出力する。
【００５３】
音源指示信号を受けた楽音信号発生部８は、サウンドシステム９により楽音を発生させる。その際の楽音レベルは、弦入力部５で特定されたベロシティに基づき制御されることになる。それと同時に、点灯指示信号を受けた発光部７では、対応するＬＥＤを発光させる。なお、ＬＥＤの発光時間は、音長に合わせるのが好ましく、例えば、パネル操作部４で設定された楽器種類（ここでは特に楽器音の減衰特性）及び弦入力部５で特定されたベロシティに基づき発光時間を設定するようにすればよい。
【００５４】
このようにして、通常の演奏では、通常のギターと同じ感覚で演奏することで、ギター音等が発生すると共に、押弦したフレット部材３５が押弦操作に対応して光って視認される。
【００５５】
次に、メモリスロット６を用いた演奏では、自動演奏モードとナビゲーションモードとが設定可能である。奏者は、メモリスロット６にメモリカードを装着し、パネル操作部４においていずれかのモードを設定する。メモリカードに格納された曲データは、少なくとも音高、音長及びベロシティを特定するものであるが、本実施の形態では、これに加えて、ＬＥＤの発光時間をも特定するものである。
【００５６】
自動演奏モードでは、ＣＰＵ６０は、曲データに基づいて楽音信号発生部８に音源指示信号を出力する。すると、曲データに従って楽音が発生し楽曲が自動的に進行していく。
【００５７】
一方、ナビゲーションモードでは、ＣＰＵ６０は、曲データに基づいて、楽音信号発生部８に音源指示信号を出力すると共に点灯指示信号を発光部７に出力する。すると、曲データに従って、楽音が発生すると共に、ＬＥＤが順次発光することで、押弦すべきフレット部材３５が光って視覚的に認識される。すなわち、練習用の光ガイドのように機能する。なお、楽音を発生させることなく光ガイド機能だけを有効にしたり、あるいは正しい押弦がなされるまで楽曲の進行を停止するようにしたり等、用途に応じて適宜構成を変更してもよい。
【００５８】
なお、曲データはメモリスロット６から供給されるものに限ることなく、胴体部１にＲＡＭ等のメモリを内蔵し、外部記憶媒体から読み出しＲＡＭに格納した曲データを用いて上記のような自動演奏モードやナビゲーションモードを実現してもよい。あるいは、ＲＯＭ等の不揮発性メモリを胴体部１に内蔵し、このメモリに予め曲データを格納しておいてもよい。また、メモリスロット６に代えて、他の種類の可搬形記憶媒体（フロッピー（登録商標）ディスク、ＣＤ−ＲＯＭ等）を用いるようにしてもよい。
【００５９】
本実施の形態によれば、板バネ１４を片持ち構造にし、弦部材５１とリンクさせ、撥弦強さに応じた出力を得て、この出力信号に応じて楽音の楽音レベルを制御するようにしたので、簡単な構成で、ギター弦の撥弦に近い奏法にて奏者の意図に沿った最適レベルの楽音を発生させることができる。また、板バネ１４の弾性によって押弦後の弦部材５１が非撥弦時初期位置に自動的に復帰するようにしたので、簡単な構成で良好な撥弦感触を確保することができる。さらに、センサ体１０をピエゾ素子で構成したので、簡単な構成で良好なタッチレスポンスを得ることができる。
【００６０】
また、各弦部材５１に対応するセンサ体１０とストッパ用ゴム材１９とを千鳥状に配置したことで、隣接するセンサ体１０間の間隔（乃至リンク部の間隔）を大きく確保することができる。その結果、リンク部の移動距離を大きくすることができ、設計の自由度が増し、検出精度も向上する。よって、弦入力部５の設計の自由度を確保すると共に、撥弦動作の検出精度の向上を図ることができる。
【００６１】
（第２の実施の形態）
本発明の第２の実施の形態では、弦入力部の構成が第１の実施の形態と異なり、その他は第１の実施の形態と同様である。従って、本第２の実施の形態に係る電子弦楽器は、その平面図が図１に示すものとほぼ同様であるが、弦入力部５に代わり弦入力部１０５を備える。なお、第１の実施の形態と同一の構成要素は同一の符号で呼称する。
【００６２】
図６は、本発明の第２の実施の形態に係る電子弦楽器の弦入力部１０５の平面図である。図７は、弦入力部１０５を胴体部１から取り外し、裏側からみた底面図である。図６、図７において、後述するフレキシブルケーブル８６側が棹部２側である。図８は、図７のＢ−Ｂ線に沿う部分断面図である。図９は、弦入力部１０５を棹部２の反対側からみた図（図６のＦ１矢視図、または図８のＦ２矢視図）であり、一部（図８のＣ−Ｃ線に沿う部分）を破断面で示している。なお、図７には後述する基板１２６は表されていない。
【００６３】
弦入力部１０５は、台座１２７に設けられた４つの取り付け穴１２７ｃ（図６参照）にて胴体部１にネジ止め固定されている。台座１２７の略中央にはスピーカ用穴１２７ｄが設けられている。弦入力部１０５にはまた、図８、図９に示すように、メイン基板１２６が取り付けられている。弦入力部１０５にはさらに、スピーカ部８２が設けられる。スピーカ部８２は、図８に示すように、基板８３を介してネジ８４により台座１２７に固定されている。
【００６４】
図６に示すように、弦部材１５１は６本（１５１ａ〜１５１ｆ）設けられ、本実施の形態では、弦部材１５１ａ〜１５１ｃが太く、弦部材１５１ｄ〜１５１ｆが細くなっている。なお、第１の実施の形態と同様に、ギターの弦の太さに倣って弦部材１５１ａが最も太く、１５１ｂ・・・１５１ｆという順序で細くなるように設定してもよい。
【００６５】
図８に示すように、弦部材１５１は、棹部２の長手方向に延びる撥弦部１５１Ｗと、撥弦部１５１Ｗの両端部において胴体部１側に屈曲した後再び棹部２の長手方向に延びる軸部１５１Ｘ（回動軸）を有し、さらに両軸部１５１Ｘから胴体部１側に屈曲して一端部１５１Ｙ、他端部１５１Ｚ（図９参照）が形成されている。なお、弦部材１５１ａ、１５１ｃ、１５１ｅでは、棹部２側が他端部１５１Ｚ、反棹部２側（棹部２の反対側）が一端部１５１Ｙとなり、弦部材１５１ｂ、１５１ｄ、１５１ｆでは、棹部２側が一端部１５１Ｙ、反棹部２側が他端部１５１Ｚとなる。
【００６６】
弦入力部１０５にはさらに、２つの回動機構部ＲＭ（保持機構部）が設けられ、各弦部材１５１は各々の両軸部１５１Ｘで回動機構部ＲＭに軸支されている。これにより、弦部材１５１は、両軸部１５１Ｘを回動中心として弦部材１５１の並び方向（弦部材１５１の長手方向に略直交する方向）に回動可能にされる。回動機構部ＲＭの詳細は後述する。
【００６７】
図６、図８、図９に示すように、弦入力部１０５にはさらに、ストッパ用ゴム材１１９が設けられている。ストッパ用ゴム材１１９は、各弦部材１５１に対応して弦部材１５１の他端部１５１Ｚ側に配設され、取り付け用板８１上に固着されている。１対のストッパ用ゴム材１１９で形成される間隙に各弦部材１５１の他端部１５１Ｚが挿通される（図９）。弦部材１５１が軸部１５１Ｘを中心として回動するとき、ストッパ用ゴム材１１９は弦部材１５１の回動角度を規制する役割を果たす。
【００６８】
図７に示すように、弦入力部１０５にはセンサユニット１１０（検出機構部）が２個設けられる。上記第１の実施の形態では、センサ体１０は６個設けられ、各センサ体１０は板バネ１４を備えた。しかし、本第２の実施の形態では、センサユニット１１０が２個設けられ（センサユニット１１０Ａ、１１０Ｂ）、各センサユニット１１０には、上記板バネ１４に相当する機能を果たす可撓部１１４（弾性体）が３つずつ、各弦部材１５１に対応して延設される。
【００６９】
センサユニット１１０Ａは、３つの可撓部１１４と、これら可撓部１１４を弦部材１５１の並び方向に可撓自在に支持する共通基端部１１０Ａａと、ゴム体１１６とで構成され、可撓部１１４と共通基端部１１０Ａａとは合成樹脂で一体に構成される。可撓部１１４の振動を速やかに減衰させて撥弦動作を正確に検出する観点から、本実施の形態では、可撓部１１４及び共通基端部１１０Ａａを、エラストマ（elastomer）にて、より具体的にはプリマロイ（登録商標）にて一体に構成している。
【００７０】
図７に示すように、センサユニット１１０Ａにおいて、各可撓部１１４は、共通基端部１１０Ａａから対応する弦部材１５１の一端部１５１Ｙ側に向かって延設され、片持ち梁のようになっている。センサユニット１１０Ａは、共通基端部１１０Ａａにおいて、弦入力部１０５の台座１２７にネジ１１３で固定されている。
【００７１】
ゴム体１１６は、各可撓部１１４の先端部１１４ｂに取り付けられている。ゴム体１１６には穴１１６ａが形成されており、この穴１１６ａを弦部材１５１の一端部１５１Ｙが貫通している（図７）。これにより、各可撓部１１４の先端部１１４ｂが、ゴム体１１６を介して弦部材１５１の一端部１５１Ｙとリンクする。各可撓部１１４にはさらに、ピエゾセンサ１１５（センサ部）が設けられている。ピエゾセンサ１１５の構成は第１の実施の形態におけるピエゾセンサ１５と同様である。可撓部１１４はさらに、第１の実施の形態における板バネ１１４と同様に、撥弦操作を解除した後、その弾性により弦部材１５１を非撥弦時初期位置に復帰させる役割を果たす。
【００７２】
なお、両ユニット１１０Ａ、１１０Ｂに取り付けられるゴム体１１６の穴１１６ａは、対応する弦部材１５１の外径に適合した内径に設定されており、両ユニット１１０Ａ、１１０Ｂを逆付けすると、弦部材１５１の円滑な回動が阻害されるため、これを未然に防止する必要がある。そこで、本実施の形態では、次のような逆付け防止のための工夫を施している。
【００７３】
すなわち、図７に示すように、センサユニット１１０Ａには、識別突起部１１０Ａｂが設けられる。識別突起部１１０Ａｂは、共通基端部１１０Ａａの弦部材１５１ｆ側に突設される。一方、それに対応する台座１２７側部分には、リブ１２７ｇが設けられる。
【００７４】
一方のセンサユニット１１０Ｂについては、センサユニット１１０Ａと同様に構成されるが、識別突起部１１０Ｂｂの位置及び形状が識別突起部１１０Ａｂと異なる。識別突起部１１０Ｂｂは、センサユニット１１０Ｂの共通基端部１１０Ｂａの弦部材１５１ａ側に突設される。また、識別突起部１１０Ｂｂに対応する台座１２７側部分には、リブ１２７ｆが設けられる。
【００７５】
ここで、突起部１１０Ａｂと突起部１１０Ｂｂとは弦入力部１０５の長手方向における位置を異ならせてあり、リブ１２７ｇとリブ１２７ｆについても同様に異ならせてある。これにより、両ユニット１１０Ａ、１１０Ｂをそれぞれ正規の位置に組み付けたとき、識別突起部１１０Ａｂはリブ１２７ｇと干渉することがなく、識別突起部１１０Ｂｂもリブ１２７ｆと干渉することがない。しかし、両ユニット１１０Ａ、１１０Ｂを逆位置に取り付けようとした場合は、突起部１１０Ａｂとリブ１２７ｆとが干渉、及び突起部１１０Ｂｂとリブ１２７ｇとが干渉するようになっており、これにより、誤取り付けが防止される。
【００７６】
なお、スピーカ部８２は、両ユニット１１０Ａ、１１０Ｂ間に配置されるので、スペースが有効に活用される。また、スピーカ部８２の位置は生ギターでいえばちょうどサウンドホール部にあたるので、生ギターに近い位置で発音がなされることになる。
【００７７】
図８に示すように、台座１２７の長手方向における両端部は、やや突出してストッパ部１２７ｅとなっている。弦部材１５１がその長手方向への力を受けたとき、弦部材１５１の一端部１５１Ｙがストッパ部１２７ｅに当接し、これにより、ストッパ部１２７ｅは、弦部材１５１の長手方向への移動を規制する役割を果たす。
【００７８】
回動機構部ＲＭは、台座１２７の長手方向における両端部に設けられる。２つの回動機構部ＲＭは、いずれも同様に構成され、各回動機構部ＲＭは、図６に示すように、台座１２７に設けられた２つの取り付け用凹部１２７ａ、１２７ｂ、２種類の軸受け部材７０（７０Ａ、７０Ｂ）、１つの押さえ部材７２、及び３つのネジ７３で構成される。なお、図６では、一方の（棹部２側の）回動機構部ＲＭにおける押さえ部材７２を取り外した状態が示されている。
【００７９】
図１０は、軸受け部材７０Ａの外観斜視図である。軸受け部材７０Ａは弾性体（例えばゴム）で形成される。軸受け部材７０Ａには、軸支する弦部材１５１ａ〜１５１ｃに対応して、それらの外径に適合する内径を有する貫通穴７０Ａａ（回動支持部）が設けられている。また、軸受け部材７０Ａの上面７０Ａｂには、髭状延設片７１が複数（例えば６枚）、軸受け部材７０Ａと一体に設けられる。なお、各髭状延設片７１は、軸受け部材７０が図９に示すような取り付け状態となって、押さえ部材７２に押さえられたとき、ややカールするようになっている。
【００８０】
図６に示すように、台座１２７に設けられる取り付け用凹部１２７ａ、１２７ｂは、それぞれ軸受け部材７０Ａ、７０Ｂに嵌合的な形状に形成されている。軸受け部材７０Ａ、７０Ｂの各貫通穴７０Ａａ、７０Ｂａ（７０Ｂａは図示せず）に対応する弦部材１５１の軸部１５１Ｘを貫通させた状態で、軸受け部材７０Ａ、７０Ｂが取り付け用凹部１２７ａ、１２７ｂに嵌合されている。
【００８１】
ところで、軸受け部材７０Ｂについては、軸支する弦部材が弦部材１５１ｄ〜１５１ｆであって、不図示の貫通穴７０Ｂａの内径が軸受け部材７０Ａの貫通穴７０Ａａとは異なる。そのため、両軸受け部材７０Ａ、７０Ｂの逆付けを防止するべく、図６に示すように、長手方向両端部の形状を互いに異ならせてある。取り付け用凹部１２７ａ、１２７ｂの形状もそれに倣っている。
【００８２】
また、軸受け部材７０Ａ、７０Ｂが取り付け用凹部１２７ａ、１２７ｂに嵌合された状態で、さらに軸受け部材７０Ａ、７０Ｂの上方から押さえ部材７２がネジ７３でネジ止めされている。これにより、軸受け部材７０Ａ、７０Ｂの各貫通穴７０Ａａ、７０Ｂａによって、対応する弦部材１５１が各々の軸部１５１Ｘを中心として回動自在に支持される。
【００８３】
ここで、押さえ部材７２が取り付けられたとき、軸受け部材７０Ａの上面７０Ａｂとの間に間隙が保たれるようになっており、なおかつ、髭状延設片７１が押さえ部材７２から押圧された状態となっている（図９参照）。従って、軸受け部材７０Ａは、上下方向に関しては専ら髭状延設片７１を介して押さえ部材７２から押圧力を受けている。髭状延設片７１の厚み等により、その反発力は適当に設定されており、これにより、ネジ７３をしっかり締めても必要以上に強い力が軸受け部材７０Ａにかかることがない。そのため、貫通穴７０Ａａが変形して弦部材１５１の軸部１５１Ｘを過剰に締め付けるようなことがなく、その円滑な回動を妨げることが防止される。その一方、適当な押圧力を受けることで、軸受け部材７０Ａが上下方向に不要にがたつくことも回避されている。軸受け部材７０Ｂについても同様である。
【００８４】
上記に加えて、押さえ部材７２は両軸受け部材７０Ａ、７０Ｂに共通の一体物として構成されるので、両軸受け部材７０Ａ、７０Ｂを独立して個々に固定する場合に比し、両軸受け部材７０Ａ、７０Ｂ間の相対的な位置精度が高く、その結果、各弦部材１５１の軸部１５１Ｘが正確な位置で支持されている。
【００８５】
図６〜図８に示すように、フレキシブルケーブル８６は、弦入力部１０５の棹部２側に設けられる。ケーブル８６は、台座１２７に取り付けられたステイ８７にネジ８５で取り付けられる。ケーブル８６は６本の弦部材１５１に対応して６本の信号ラインを有し（図示せず）、その基端部８６ａにおいて、対応する弦部材１５１の軸部１５１Ｘに各信号ラインがそれぞれ当接している。弦部材１５１は導電体で構成され、弦部材１５１に触れるとその信号がケーブル８６に通じるようになっている。本実施の形態では言及しないが、ケーブル８６は、弦部材１５１へ指等がタッチされたことをＣＰＵ６０に伝え、その信号は発音ミュート等の制御に利用される。
【００８６】
本実施の形態の電子弦楽器における楽音発生及び発光の制御を実現するための機能構成は、第１の実施の形態（図５に示すもの）と基本的に同様である。ただし、キーオン検出部５ａ及びタッチ検出部５ｂは、弦入力部５に代わって弦入力部１０５が備える。そしてキーオン検出部５ａ及びタッチ検出部５ｂの各機能は、上述したセンサユニット１１０によって実現される。かかる構成において、演奏操作等の動作及び発音制御は第１の実施の形態と同様である。
【００８７】
本実施の形態によれば、簡単な構成で、奏者の意図に沿った最適レベルの楽音を発生させること、撥弦動作の検出精度を確保しつつ良好な撥弦感触、良好なタッチレスポンスを得ることに関し、第１の実施の形態と同様の効果を奏することができる。
【００８８】
本実施の形態によればまた、軸受け部材７０は一体に形成されて、回動支持部となる貫通穴７０Ａａを複数（３個）有して成るので、各貫通穴７０Ａａ同士の相対的な位置精度は、軸受け部材７０の組み付け誤差の影響を受けない。そのため、各弦部材１５１毎に貫通穴７０Ａａを有する軸受け部材のようなものを別体として設ける場合に比し、貫通穴７０Ａａの位置精度が高く、弦部材１５１の回動軸である軸部１５１Ｘを正確な位置で支持するのが容易となるから、複数の弦部材間で均一で、且つ円滑、正確な回動動作を確保することができる。さらに、押さえ部材７２は、両軸受け部材７０Ａ、７０Ｂに共通の一体物として構成され、これらを一緒に押さえて台座１２７に対して固定するので、両軸受け部材７０Ａ、７０Ｂを独立して個々に固定する場合に比し、両軸受け部材７０Ａ、７０Ｂ間の相対的な位置精度が高く、その結果、各弦部材１５１の回動軸である軸部１５１Ｘを正確な位置で支持するのが容易となるから、複数の弦部材間で均一で、且つ円滑、正確な回動動作を確保することができる。
【００８９】
本実施の形態によればまた、センサユニット１１０は、複数の可撓部１１４と共通基端部１１０Ａａとが一体に形成されて構成されるので、各可撓部１１４間の相対的な位置精度が高く、その結果、各弦部材１５１の回動軸である軸部１５１Ｘを正確な位置で支持するのが容易となるから、複数の弦部材間で均一で、且つ円滑、正確な回動動作を確保することができる。構成及び取り付けも簡単である。しかも、複数の可撓部１１４と共通基端部１１０Ａａとはエラストマで形成されるので、撥弦により可撓部１１４が撓んだ後、その振動が速やかに減衰し、正確な撥弦動作の検出に適している。
【００９０】
よって、簡単な構成で、各弦間の均一な動作を確保して撥弦動作の検出精度を維持することができる。
【００９１】
なお、軸受け部材７０の貫通穴７０Ａａは２個でもよいが、３個以上（例えば、６個）としてもよい。
【００９２】
なお、上記各実施の形態において、本発明を達成するためのソフトウェアによって表される制御プログラムを記憶した記憶媒体を電子弦楽器に読み出すことによっても、同様の効果を奏することができる。これらの場合の記憶媒体としては、ＲＯＭのほか、フロッピー（登録商標）ディスク、ハードディスク、光ディスク、ＣＤ−ＲＯＭ、ＣＤ−Ｒ、磁気テープ、不揮発性のメモリカード等を用いることができる。
【００９３】
【発明の効果】
以上説明したように、本発明の請求項１に係る電子弦楽器によれば、簡単な構成で、奏者の意図に沿った最適レベルの楽音を発生させることができる。
【００９４】
本発明の請求項２に係る電子弦楽器によれば、ギター弦の撥弦に近い奏法にて意図したレベルの楽音を発生させることができる。
【００９５】
本発明の請求項３に係る電子弦楽器によれば、撥弦動作の検出精度を確保しつつ、簡単な構成で良好な撥弦感触を確保することができる。
【００９６】
本発明の請求項４に係る電子弦楽器によれば、撥弦部の設計の自由度を確保すると共に、撥弦動作の検出精度の向上を図ることができる。
【００９７】
本発明の請求項５に係る電子弦楽器によれば、各回動支持部間の相対的な位置精度を高くすることで、簡単な構成で、各弦間の均一な動作を確保して撥弦動作の検出精度を維持することができる。
【００９８】
本発明の請求項６に係る電子弦楽器によれば、各軸受け部材間の相対的な位置精度を高くすることで、簡単な構成で、各弦間の均一な動作を確保して撥弦動作の検出精度を維持することができる。
【００９９】
本発明の請求項７に係る電子弦楽器によれば、各弾性体間の相対的な位置精度を高くすると共に、弾性体の振動の速やかな減衰を確保することで、簡単な構成で、各弦間の均一な動作を確保して撥弦動作の検出精度を維持することができる。
【０１００】
本発明の請求項８に係る電子弦楽器によれば、簡単な構成で良好なタッチレスポンスを得ることができる。
【図面の簡単な説明】
【図１】  本発明の第１の実施の形態に係る電子弦楽器の平面図である。
【図２】  弦入力部を胴体部から取り外し、裏側からみた底面図である。
【図３】  図２のＡ−Ａ線に沿う部分断面図である。
【図４】  センサ体の分解斜視図である。
【図５】  同形態の電子弦楽器における楽音発生及び発光の制御を実現するための機能構成の概略を示すブロック図である。
【図６】  本発明の第２の実施の形態に係る電子弦楽器の弦入力部の平面図である。
【図７】  弦入力部を胴体部から取り外し、裏側からみた底面図である。
【図８】  図７のＢ−Ｂ線に沿う部分断面図である。
【図９】  弦入力部を棹部の反対側からみた図（図６のＦ１矢視図、または図８のＦ２矢視図）である。
【図１０】  軸受け部材の外観斜視図である。
【符号の説明】
１  胴体部、  ２  棹部、  ３  音高スイッチ部、  ３ａ  音高検出部、  ４パネル操作部、  ５  弦入力部、  ５ａ  キーオン検出部、  ５ｂ  タッチ検出部、  ６  メモリスロット、  ７  発光部、  ８  楽音信号発生部（楽音発生手段）、  １０  センサ体、  １４  板バネ（弾性体）、  １４ａ  基端部（他の一部）、  １４ｂ  先端部（一部）、  １５  ピエゾセンサ（センサ部）、  ３４  フレット、  ３５  フレット部材、  ５１  弦部材、  ５１Ｙ（リンク部）  一端部、  ５１Ｚ  他端部、  ６０  ＣＰＵ（楽音制御手段）、  ７０  軸受け部材、  ７０Ａａ  貫通穴（回動支持部）、  ７２  押さえ部材、  １１４可撓部（弾性体）、  １１５  ピエゾセンサ（センサ部）、  １１０  センサユニット（検出機構部）、  １１０Ａａ  共通基端部、  １５１Ｘ  軸部（回動軸）、  ＲＭ  回動機構部（保持機構部）
【図１】
0003680787.tif 000002
【図２】
0003680787.tif 000003
【図３】
0003680787.tif 000004
【図４】
0003680787.tif 000005
【図５】
0003680787.tif 000006
【図６】
0003680787.tif 000007
【図７】
0003680787.tif 000008
【図８】
0003680787.tif 000009
【図９】
0003680787.tif 000010
【図１０】
0003680787.tif 000011